(57)【要約】  多層床被覆材は、歩行面をもたらす弾性の上部被覆材（１２）と、弾性の上部被覆材の下側に配置されたシート型センサー層（１６）と、弾性の上部被覆材をシート型センサー層に取り付ける第１の接着剤層（１４）と、シート型センサー層を下部の床下地（２０）に取り付ける第２の接着剤層（１８）とを含む。シート型センサー層へのアクセスを容易にするために、第１の接着剤層（１４）は、第２の接着剤層（１８）よりも低い剥離に対する抵抗をもたらすように構成されている。本発明は、そのような床被覆材を達成するための部品のキット、ならびに床被覆材を設置する方法をさらに提案する。
2018505974.tif 000002
【特許請求の範囲】
【請求項１】
歩行面をもたらす弾性の上部被覆材と、
前記弾性の上部被覆材の下側に配置されたシート型センサー層と、
前記弾性の上部被覆材を前記シート型センサー層に取り付ける第１の接着剤層、および前記シート型センサー層を下部の床下地に取り付ける第２の接着剤層であって、前記第１の接着剤層は、前記第２の接着剤層よりも低い剥離に対する抵抗をもたらす、第１の接着剤層および第２の接着剤層と、
を含む、多層床被覆材。
【請求項２】
欧州規格ＥＮ  １３７２に規定されるような９０°の剥離強度試験手順で得られるような、前記第１および第２の接着剤層によってもたらされる前記剥離に対する抵抗が、２つの値の大きい方の少なくとも５０％だけ異なる、請求項１に記載の多層床被覆材。
【請求項３】
前記弾性の上部被覆材が、１ｍｍ〜４ｍｍの範囲、好ましくは１．５ｍｍ〜３．５ｍｍの範囲、およびさらに一層好ましくは２ｍｍ〜３．５ｍｍの範囲に含まれる全厚を有する天然または合成の均質または不均質な床被覆材を含む、請求項１または２に記載の多層床被覆材。
【請求項４】
前記弾性の上部被覆材が、摩耗層を備える天然または合成の不均質な床被覆材を含み、前記摩耗層の厚さは、少なくとも０．２ｍｍ、好ましくは少なくとも０．５ｍｍである、請求項１〜３のいずれか一項に記載の多層床被覆材。
【請求項５】
前記第１および第２の接着剤層の少なくとも一方がスプレー接着剤を含む、請求項１〜４のいずれか一項に記載の多層床被覆材。
【請求項６】
前記第１の接着剤層がスプレー接着剤を含み、前記第２の接着剤層が、鋸歯状刃によるコテで塗られる接着剤を含む、請求項５に記載の多層床被覆材。
【請求項７】
前記スプレー接着剤が、０．０３ｇ／ｍｌ未満の揮発性有機化合物を有する水性アクリルブレンドを含む、請求項５または６に記載の多層床被覆材。
【請求項８】
前記シート型センサー層が、１つの連続的な圧力センサー、または２次元配置構成の複数の圧力センサーを含み、前記圧力センサーは、圧縮力が加えられると、例えばインピーダンス、抵抗、キャパシタンス、リアクタンス、電荷、電流および／または電圧などの１つ以上の電気観測量の変化をもたらす、請求項１〜７のいずれか一項に記載の多層床被覆材。
【請求項９】
前記１つ以上の圧力センサーのそれぞれが、第１の電極層と第２の電極層との間に挟まれたフェロエレクトレットポリマー薄膜を含み、前記シート型センサー層がさらに電気絶縁薄膜を含み、前記電気絶縁薄膜の間に前記１つ以上の圧力センサーが配置される、請求項８に記載の多層床被覆材。
【請求項１０】
前記シート型センサー層が、前記１つ以上の圧力センサーを干渉から保護する１つ以上の接地された導電性シールド層を含む、請求項９に記載の多層床被覆材。
【請求項１１】
多層床被覆材を設置する方法であって、
床下地を第２の接着剤層でコーティングするステップと；
前記第２の接着剤層でコーティングされた前記床下地の上にシート型センサー層を敷くステップと；
前記シート型センサー層の上面を第１の接着剤層でコーティングするステップと；
前記シート型センサー層の前記上面に弾性の上部被覆材を敷いて、歩行面をもたらすステップと；
を含み、
前記弾性の上部被覆材を前記シート型センサー層に取り付ける前記第１の接着剤層が、前記シート型センサー層を下部の床下地に取り付ける前記第２の接着剤層よりも低い剥離に対する抵抗をもたらすように構成および配置される、方法。
【請求項１２】
前記第１および第２の接着剤層の剥離に対する異なる抵抗が、異なる組成の接着剤を使用することによって、および／または異なる厚さで前記接着剤を適用することによって、および／または異なる面密度で前記接着剤を適用することによって、および／またはシート型センサー層および前記弾性の上部被覆材をそれぞれ敷く前に、前記接着剤を異なる時間にわたって予備乾燥または予備硬化させることによって得られる、請求項１１に記載の方法。
【請求項１３】
歩行面をもたらす弾性の上部被覆材と；
前記弾性の上部被覆材の下側に配置されるシート型センサー層と；
前記弾性の上部被覆材を前記シート型センサー層に取り付けるために第１の接着剤層に、および前記シート型センサー層を下部の床下地に取り付けるために第２の接着剤層に適用される１種以上の接着剤と；
指示であって、従った場合に、前記第１の接着剤層が、前記第２の接着剤層よりも低い剥離に対する抵抗をもたらすことを確実にする指示、および／または前記指示を得ることができる箇所への参照を含む、サポート資料と；
を含む、請求項１〜１０のいずれか一項に記載の多層床被覆材を設置するための部品のキット。
【発明の詳細な説明】
【技術分野】
【０００１】
本発明は、概して、床下地構造（例えば定規摺、コンクリート、専用の支持層もしくは構造、または任意の他の実質的に平坦な床下地など）の上に仕上げ材料として適用される多層床被覆材に関し、この多層床被覆材は、弾性の上部被覆材の下側に延在するシート型センサーを含む。
【背景技術】
【０００２】
弾性の床被覆材は、一般に、強力な接着剤を使用して下部の床下地に取り付けられており、これらの接着剤は、鋸歯状刃によって、被覆される表面に予め広げられている。この手法は、表面上の被覆材の高耐久性を保証する。床被覆材が交換されるとき、グルーおよび／または床被覆材を分離しかつそれらの残留物を除去する努力が必要とされる。物理的または化学的な剥離技術が使用されてもよい。新しい床被覆材を敷く前に、表面は、さらに、そこに与えられた損傷に応じて、平坦化または平滑化する必要があり得る。一般的に、床被覆材の除去は、この床被覆材がもはや使用できない程度まで破壊または少なくとも劣化していることを暗示する。
【０００３】
これらの不都合は、床被覆材が一般に数年使用した後にのみ交換されるため、従来の床材では些細なことと考えられ得る。時には、古い床材の上側に新しい床材を敷くことが想定され得、その場合、下部の床下地への古い床材の強力な接着は前提条件である。
【発明の概要】
【発明が解決しようとする課題】
【０００４】
上述の不都合は、新しくかつ将来的な床被覆材、特に、床被覆材の全寿命よりも短い時間間隔で補修および／または修繕などの介入を必要とし得る１層以上の感知層を含む床被覆材では、より不利になり得る。そのため、感知層へのアクセスは、それほど労力をかけずに行われる必要がある。
【課題を解決するための手段】
【０００５】
本発明の態様によれば、多層床被覆材は、歩行面をもたらす弾性の上部被覆材と、弾性の上部被覆材の下側に配置されたシート型センサー層と、弾性の上部被覆材をシート型センサー層に取り付ける第１の接着剤層と、シート型センサー層を下部の床下地に取り付ける第２の接着剤層とを含む。シート型センサー層へのアクセスを容易にするために、第１の接着剤層は、第２の接着剤層よりも低い剥離に対する抵抗をもたらすように構成されている。
【０００６】
異なる剥離抵抗のために、第１の接着ボンドは、第２の接着ボンドよりも弱く、そのため、下部の床下地へのセンサー層の取り付けを危うくすることなく、上側にある弾性の上部被覆材をシート型センサーから剥離できる。それにより、シート型センサーまたは上部被覆材を破壊することなく、シート型センサーをそのまま引き継ぐことが可能となる。本発明は、構造全体ではなく、弾性の上部被覆材のみを交換できるようにし、それにより、純粋に美的な介入によるコストの影響を小さくすることも認識される。
【０００７】
本明細書に関連して、名詞または形容詞として使用される用語「接着剤」は、２層間にまたは１つの層と基材との間に耐久性のあるボンドをもたらす物質、または複数の物質の混合物を指定または特定する。「耐久性のあるボンド」は、それが破壊されなければ解かれることができない、床被覆材の寿命にわたって持続することを意図したボンドである。そのため、明白に指示しない限り、用語「接着剤」は、２つの隣接する層間に弱いボンドのみをもたらし、それらを何度も分離およびくっつけることができる再位置決め可能な接着剤を含まない。用語「接着剤」は、上述の意味を逸脱することなく、「永久的な接着剤」によって置き換えてもよい。
【０００８】
剥離に対する抵抗（または「剥離抵抗」）の差は、（ａ）第１および第２の接着剤層が異なる組成であることより、および／または（ｂ）第１および第２の接着剤層が異なる厚さであることより、および／または（ｃ）第１および第２の接着剤層が異なる面密度（単位面積当たりの質量）で適用されることより、および／または（ｄ）接着剤層が異なる予備乾燥または予備硬化時間を受けることより、および／または（ｅ）接合される層の異なる処理より、および／または（ｆ）接合される層に対する接着剤層の異なる化学親和力などによって生じ得る。
【０００９】
好ましくは、欧州規格ＥＮ  １３７２で規定されるような装置を用いる９０°の剥離強度試験において得られるような、第１および第２の接着剤層によってもたらされる剥離に対する抵抗は、２つの値の大きい方の少なくとも５０％だけ異なる。
【００１０】
弾性の上部被覆材は、好ましくは、欧州規格ＥＮ  ６４９に準拠している。弾性の上部被覆材は、１ｍｍ〜４ｍｍの範囲、好ましくは１．５ｍｍ〜３．５ｍｍの範囲、およびさらに一層好ましくは２ｍｍ〜３．５ｍｍの範囲に含まれる全厚を有する天然または合成の均質または不均質な床被覆材を含んでもよい。本発明に関連して使用可能な弾性の上部被覆材の例は、塩化ビニル（ＰＶＣ）床被覆材、リノリウム床被覆材、シート型ビニル床被覆材、コルク床材およびゴム床被覆材である。弾性の上部被覆材は、摩耗層を備える天然または合成の不均質な床被覆材を含んでもよく、摩耗層の厚さは、少なくとも０．２ｍｍ、好ましくは少なくとも０．５ｍｍである。
【００１１】
第１および第２の接着剤層の一方または両方は、スプレー接着剤、例えば０．０３ｇ／ｍｌ未満の揮発性有機化合物を有する水性アクリルブレンド接着剤を含み得る。好適なスプレー接着剤は、市販されている。本発明の好ましい実施形態によれば、第１の接着剤層はスプレー接着剤を含み、および第２の接着剤層は、鋸歯状刃で広げられる（コテで塗られる）接着剤を含む。
【００１２】
弾性の上部被覆材が、スプレー接着剤によって下部のシート型センサー層に取り付けられる、および／またはシート型センサー層が、スプレー接着剤によって床下地に取り付けられる、本発明の好ましい実施形態の注目すべき態様は、コテで塗られた接着剤によって同じ層が互いに取り付けられた場合よりも、残存凹みが小さくなることである。本発明のそのような好ましい態様によれば、多層床被覆材の残存凹み（規定圧力を１５０分間加え、および負荷を除去した後に１５０分の追加的な休止時間を経た後に、規格ＩＳＯ  ２４３４３−１に従って測定された）は、最大で０．１８ｍｍ、一層好ましくは最大で０．１７ｍｍ、さらに一層好ましくは最大で０．１６ｍｍ、さらに一層好ましくは最大で０．１５ｍｍ、さらに一層好ましくは最大で０．１４ｍｍ、さらに一層好ましくは最大で０．１３ｍｍおよび最も好ましくは最大で０．１２ｍｍとなる。残存凹みが小さいことは、転がるもの（例えばベッド、車椅子など）に加わる負荷が頻繁に動かされる必要がある介護福祉施設では大きく評価されるであろう。実際、残存凹みが小さいことは、転がり抵抗が小さくなることになり、これは介護者の仕事を容易にする。
【００１３】
シート型センサー層は、好ましくは、１つの連続的な圧力センサー、または２次元配置構成の複数の圧力センサーを含む。好ましくは、圧縮力が加えられると、１つ以上の電気観測量の変化をもたらす１つまたは複数の圧力センサーである。１つまたは複数の電気観測量は、例えば、インピーダンス、抵抗、キャパシタンス、リアクタンス、電荷、電流、電圧またはこれらの組み合わせを含み得る。１つまたは複数の圧力センサーは、機械的歪みまたは変形を電気観測量に変換するトランスデューサである。本発明の好ましい実施形態によれば、１つ以上の圧力センサーのそれぞれは、第１の電極層と第２の電極層との間に挟まれたフェロエレクトレット（ｆｅｒｒｏｅｌｅｃｔｒｅｔ）ポリマー薄膜を含み、シート型センサー層はさらに電気絶縁薄膜を含み、その電気絶縁薄膜の間に前記１つ以上の圧力センサーが配置される。本明細書では、用語「フェロエレクトレットポリマー薄膜」は気泡ポリマー薄膜構造を指し、これは、圧電特性を示し、より具体的には、ポリマー薄膜構造が圧縮されることに応答してその表面に加えられる電位差を第１の電極層と第２の電極層との間に生成する。
【００１４】
圧力センサーの代替例として、シート型センサー層はまた、いわゆる近接センサーを含むことができ、近接センサーは、導電体（例えば人、ペット、または導電物体）に近接して容量結合する１つ以上のアンテナ電極を含む。近接センサーでは、電気観測量は、同様に、インピーダンス、抵抗、キャパシタンス、リアクタンス、電荷、電流、電圧またはこれらの組み合わせであり得る。
【００１５】
シート型センサー層（圧力センサー、近接センサーおよび／または他のセンサーである）の１つ以上のセンサーを干渉から保護するために、シート型センサー層は、好ましくは、１つ以上の接地された導電性シールド層を含む。
【００１６】
本発明の別の態様は、多層床被覆材を設置する方法に関する。そのような方法は、
○床下地を第２の接着剤層によってコーティングするステップと（層の符号は、それらの区別を容易にするためにすぎない）；
○第２の接着剤層でコーティングされた床下地の上にシート型センサー層を敷くステップと；
○シート型センサー層の上面を第１の接着剤層によってコーティングするステップと；
○シート型センサー層の上面に弾性の上部被覆材を敷いて、歩行面をもたらすステップと
を含む。
【００１７】
第１および第２の接着剤層の適用中、弾性の上部被覆材をシート型センサー層に取り付ける第１の接着剤層が、シート型センサー層を下部の床下地に取り付ける第２の接着剤層よりも低い剥離に対する抵抗をもたらすように、それらを構成および配置するように注意が払われる。
【００１８】
第１および第２の接着剤層の剥離に対する異なる抵抗は、異なる組成の接着剤を使用することによって、および／または異なる厚さで接着剤を適用することによって、および／または異なる面密度で接着剤を適用することによって、および／またはシート型センサー層および弾性の上部被覆材をそれぞれ敷く前に、接着剤を異なる時間にわたって予備乾燥または予備硬化させることによって、および／または接合される層の専用の処理によって、および／または化学親和力およびその結果得られる付着強度に関して、接合される層および接着剤の材料の好適な選択によって得られ得る。
【００１９】
本発明のさらに別の態様は、多層床被覆材を設置するための部品のキットに関する。そのような部品のキットは、以下の別個の構成要素を含む：
○歩行面をもたらす弾性の上部被覆材；
○弾性の上部被覆材の下側に配置されるシート型センサー層；
○弾性の上部被覆材をシート型センサー層に取り付けるために第１の接着剤層に、およびシート型センサー層を下部の床下地に取り付けるために第２の接着剤層に適用される１種以上の接着剤；および
○ａ）指示であって、従った場合に、第１の接着剤層が、第２の接着剤層よりも低い剥離に対する抵抗をもたらすことを確実にする指示、および／またはｂ）そのような指示を得ることができる箇所への参照を含む、サポート資料。
【００２０】
サポート資料は、紙（例えばユーザマニュアル）、厚紙（例えばキットの１つ以上のアイテムのパッケージング）、ＣＤ、ＤＶＤ、ＵＳＢスティックまたは任意の他の情報担体であり得る。指示は、人が理解できる任意の形態、例えば文書、音声テキスト、ビデオ、スライドショー、歌、図面など、またはそれらの任意の組み合わせであり得る。指示を得ることができる箇所への参照（例えばダウンロードによって）は、書き込むべきアドレス、インターネットリンク（例えばＱＲコードとして表わされる）などであり得る。
【００２１】
例として、本発明の非限定的な好ましい実施形態を、添付図面を参照して、ここで詳細に説明する。
【図面の簡単な説明】
【００２２】
【図１】シート型センサーを含む多層床被覆材の好ましい実施形態の斜視図である。
【図２】図１の多層床被覆材の断面図である。
【図３】多層床被覆材を設置するための部品のキットの図である。
【図４】介護施設の部屋の居住者監視システムの概略図である。
【図５】シート型センサーおよびそれに接続されたセンサー制御装置の好ましい実施形態の概略図である。
【発明を実施するための形態】
【００２３】
本発明の好ましい実施形態による多層床被覆材１０の構成を、図１および図２に最もよく示す。多層床被覆材１０は、弾性のポリマーベースの装飾的な上部被覆材１２、第１の接着剤層１４、シート型センサー１６、および第２の接着剤層１８を含む。シート型センサーは、第２の接着剤層１８によって舗床２０に固着される。弾性の上部被覆材１２は、第１の接着剤層１４によってシート型センサー１６の上面に固着される。図１には、ＬＥＤ照明を特徴とする幅木２２も示されており、これは、シート型センサー１６によって制御される。
【００２４】
第１の接着剤層１４は、第２の接着剤層１８よりも低い剥離に対する抵抗をもたらすように構成されている。弾性の上部被覆材１２を除去する必要があるとき（部屋を改装するために、またはセンサー１６を交換または修理するために）、弾性の上部被覆材１２は、上部被覆材１２の縁を確実に掴んでそれを引っ張ることにより、下部の層から剥離され得る。
【００２５】
図３は、図１に示すような床被覆材を設置するための部品の完全なキット２４を示す。キット２４は、シート型センサー１６のロール２６と、装飾用上部被覆材１２のロール２８と、第１の接着剤が入っている加圧ディスペンサー３０と、第２の接着剤が入っているバケツ３２と、設置指示および使用者をトレーニングビデオへと誘導するＱＲコードを備える注意事項３４とを含む。キットの構成は、説明を意味するにすぎず、それは多層床被覆材の材料に依存して変化し得る。例えば、上部被覆材および／またはシート型センサーは、タイルまたは板の形態を取り得る。第１および第２の接着剤層の両方に同じ接着剤が使用される場合、一方のタイプの容器で十分であろう。注意事項３４は、綴じられていない紙の注意事項であり得るか、または構成要素の１つ以上のパッケージングに添付され得る。指示はまた、デジタル情報担体（例えばＣＤ、ＤＶＤまたはＵＳＢスティック）で提供され得る。キットの個々の構成要素の量は変わり得ることにも留意されたい。しかしながら、好ましくは、キットの構成は、構成要素が正しい割合で提供されているようになっている。
【００２６】
図４は、本発明による多層床被覆材が、介護施設（老人ホーム、病院など）において、どのように部屋の居住者監視システム４０の一部として使用され得るかを概略的に示す。監視されている人の部屋４２、介護者の部屋４４、およびそれらの部屋をつなぐ通路または廊下４６が示されている。当然ながら、介護施設はさらに部屋を含み得るが、これらの部屋は、図面を明瞭にするために示されていない。部屋４２は、寝室の仕切壁４８および浴室の仕切壁５０を含む。部屋４２は、入口／出口ゾーン５２を経由して通路または廊下４６からアクセス可能であり、このゾーンは、部屋４２のドア（図示せず）に隣接している。
【００２７】
部屋の居住者監視システム４０は、シート型センサー層が下側に配置されている弾性のポリマーベースの上部被覆材を備える多層床被覆材１０を含む。多層床被覆材１０の構造は、図１および図２に示すようなものであり得る。
【００２８】
シート型センサー層は、実質的に互いに重なり合わずに配置された複数の圧力センサーを含む。部屋の各ゾーンにおいて、圧力センサーがセンサー制御装置５４と並列接続されて、同じゾーン内の異なるセンサーによって生じるアナログ信号が、センサー制御装置５４によって簡単に認識できないようにする。所与のゾーンの複数のセンサーは、以下、まとめて「センサー群」と呼ぶ。しかしながら、部屋の異なるゾーンにそれぞれ関連付けられる異なるセンサー群は、センサー制御装置５４に個別に接続され、それにより、いずれのセンサー群からアナログ信号が生じているかが分かる。図４に示す実施形態では、以下のゾーンのそれぞれ１つに、１つのセンサー群がある：１）入口／出口ゾーン５２、２）寝室の仕切壁４８および３）浴室の仕切壁５０。
【００２９】
図５は、センサー制御装置５４、およびそれがどのように１つの圧力センサー５６に接続されているかを概略的に示す。図示するために、圧力センサー５６は、フェロエレクトレット型であると仮定する。センサーは、第１の電極６０と第２の電極６２との間に挟まれたフェロエレクトレットポリマー薄膜５８を含む。フェロエレクトレットポリマー薄膜５８が圧縮されると、第１の電極６０と第２の電極６２との間に電圧が生成される。その電圧は、センサー制御装置５４に入力され、さらなる処理のためにデジタル信号に変換される。第２の電極６２上には第１の電気絶縁薄膜６４が配置され、および第１の電極６０とシールド電極６８との間には第２の電気絶縁薄膜６６が配置される。シールド電極６８の反対側には第３の電気絶縁薄膜７０が適用される。第２の電極６２およびシールド電極６８は接地されるため、センサーの信号電極である第１の電極６０を外部の電磁干渉から保護する。図示の実施形態では、電極６０、６２および６８は、それぞれ厚さが５〜２０μｍ（例えば９μｍ）のアルミニウム層である。フェロエレクトレットポリマー薄膜５８の厚さは、好ましくは、５０〜１００μｍの範囲に含まれる（例えば６５μｍ）。電気絶縁薄膜６４、６６、７０は、ＰＥＴ（ポリエチレンテレフタレート）または任意の他の電気絶縁ポリマーで作製され得る。それらの厚さは、好ましくは、５０〜２５０μｍ（例えば７５μｍ）になる。そのため、圧力センサー５６の全厚は、１ｍｍ未満となる。信号電極（第１の電極６０）は、好ましくは直線の軸に沿って延在する絶縁領域によってパターン化され得る。それらの領域は、圧力センサーを所望の形状に切断できるようにし、その切断による、信号電極６０と接地した電極６２、６８のうちの一方との間に短絡を生じる危険性を低下させる。
【００３０】
圧力センサー５６は、同軸ケーブル７２によってセンサー制御装置５４に接続され、この同軸ケーブルは、芯線導体７４と、芯線導体７４を取り囲む少なくとも１つの遮蔽導体７６とを含む。芯線導体７４は信号電極６０に接続される一方、遮蔽導体７６は、接地した電極６２、６８に接続される。芯線導体の他方の端部は、センサー制御装置５４の電荷増幅器７８に接続される。電荷増幅器７８によって出力されたアナログ信号は、ローパスフィルター８０によってフィルタリングされ、およびＡＤＣ（アナログ−デジタル変換器）８２に入力される。ＡＤＣ８２によって出力されたデジタル原信号は、マイクロコントローラ８４によって処理される。マイクロコントローラ８４は、メモリモジュール８６を含むかまたはそれに接続され、そこには、センサー制御装置５４のファームウェアが格納されている。マイクロコントローラ８４は、さらに、通信モジュール８８、例えばＥｔｈｅｒｎｅｔ、Ｗｉ−Ｆｉ、ＤＥＣＴ（デジタル増強型無線通信（Ｄｉｇｉｔａｌ  Ｅｎｈａｎｃｅｄ  Ｃｏｒｄｌｅｓｓ  Ｔｅｌｅｃｏｍｍｕｎｉｃａｔｉｏｎｓ））、ＧＳＭ（広域自動車通信システム（Ｇｌｏｂａｌ  Ｓｙｓｔｅｍ  ｆｏｒ  Ｍｏｂｉｌｅ  Ｃｏｍｍｕｎｉｃａｔｉｏｎ））、ＧＰＲＳ（汎用パケット無線サービス（Ｇｅｎｅｒａｌ  Ｐａｃｋｅｔ  Ｒａｄｉｏ  Ｓｅｒｖｉｃｅ））、ＥＤＧＥ（ＧＳＭ進化型高速データレート（Ｅｎｈａｎｃｅｄ  Ｄａｔａ  Ｒａｔｅｓ  ｆｏｒ  ＧＳＭ  Ｅｖｏｌｕｔｉｏｎ））、ＵＭＴＳ（ユニバーサル移動体通信システム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ））通信モジュールを含むかまたはそれに接続されている。マイクロコントローラ５４はまた、継電器９０を制御し、継電器９０に接続された電気装置の電源を入れたり切ったりできるようにする。最後に、センサー制御装置５４は、ビルディング自動化システム（ＢＡＳ）アクチュエータ９２を含み、それを介して、マイクロコントローラ５４は、ＢＡＳとインターフェースを取り得る。
【００３１】
図４に戻って説明すると、センサー制御装置５４は、介護施設の介護者呼び出しシステムと接続されている。各部屋１２は、介護者呼び出しボタン９４が装備されており、介護者呼び出しボタンは、一般に、部屋の居住者がベッドからボタンに届くことができるように配置されている。その基本的な構成では、ナースコールボタンの作動により、電気回路を閉成し、これにより、介護者の部屋４４の可聴式および可視的な警報信号を起動する。この場合、センサー制御装置５４の継電器９０の１つが、ナースコールボタン９４に並列接続されており、マイクロコントローラ８４が、警報を出す電気回路を制御できるようにしている。介護施設が、より現代的なナースコールまたは介護者呼び出しシステムを含む場合、センサー制御システムは、ＢＡＳアクチュエータ９２、または通信モジュール８８のうちの１つを介してそれとインターフェースを取り得る。マイクロコントローラ８４が、部屋の居住者９６が転倒したこと（図４に示すように）、または介護者の介入を要する別の事象を検出する場合、マイクロコントローラは、介護施設の介護者呼び出しシステムを介して警報をトリガする。介護者呼び出しシステムがそれに対処できる場合、検出した事象の重大度を示す緊急コードも送信されて、支援の必要性の緊急度を伝える。センサー制御装置５４は、さらに、部屋４２の幅木２２に組み込まれたＬＥＤとインターフェースを取る。重大事象が検出されると、マイクロコントローラ８４はＬＥＤを制御して、部屋の居住者に、その事象（例えば転倒したこと）が検出されて警報が出されたことを知らせる可視信号（例えば点滅または閃光）を生成するようにする。介護者呼び出しシステムが双方向通信を特徴とする場合、マイクロコントローラ８４はまた、第２の可視信号を発することにより、介護者が警報の受信を認識したこと部屋の居住者９６に知らせる。
【実施例】
【００３２】
図１および図２の多層床被覆材は、以下の通り実現された。石綿セメント（ｆｉｂｒｏｃｅｍｅｎｔ）パネル上にスプレー接着剤（Ｓｐｒａｙ−Ｌｏｃｋ（商標）から購入）の層（厚さ２００μｍ）を適用し、その後、製造者によって規定された予備硬化時間後に、その層上にシート型センサー層（厚さ１ｍｍ）を適用した。その後、弾性の上部被覆材（厚さ２ｍｍのＰＶＣベース）が、スプレー接着剤層（１００μｍの厚さで適用されたＳｐｒａｙ−Ｌｏｃｋ（商標）接着剤）を用いて、シート型センサー層に取り付けられた。残存凹み（規格ＩＳＯ  ２４３４３−１によって測定された）は、０．１２ｍｍであった。
【００３３】
比較するために、石綿セメントとシート型圧力センサー層との間のスプレー接着剤の層を、鋸歯状刃によって塗布された接着剤（Ｕｚｉｎ  ＫＥ２０００Ｓ）（２００〜２５０ｇ／ｍ２の面密度）で置き換えることを除いて、上記と同じ構造の多層床被覆材が実現された。この実施例では、測定された残存凹みは０．１５ｍｍとなった。
【００３４】
スプレー接着剤の２層の層が、コテで塗られた接着剤によって置き換えられたとき、残存凹みは０．２０ｍｍとなり、スプレー接着剤の使用が、残存凹みを減少させるのに寄与することを証明した。
【００３５】
特定の具体的な実施形態および実施例を本明細書で詳細に説明したが、当業者は、それらの詳細に対する様々な修正形態および代替形態が本開示の教示全体に照らして開発され得ることを認識する。従って、開示した特定の配置構成は、説明を意味するにすぎず、および本発明の範囲を限定するものではなく、本発明の範囲は、添付の特許請求の範囲およびそのあらゆる均等物の全範囲において与えられる。
【符号の説明】
【００３６】
１０  多層床被覆材
１２  上部被覆材
１４  第１の接着剤層
１６  センサー
１８  第２の接着剤層
２０  舗床
２２  幅木
２４  キット
２６  ロール
２８  ロール
３０  加圧ディスペンサー
３２  バケツ
４０  居住者監視システム
４２  部屋
４４  部屋
４６  廊下
４８  仕切壁
５０  仕切壁
５２  出口ゾーン
５４  センサー制御装置
５６  圧力センサー
５８  フェロエレクトレットポリマー薄膜
６０  第１の電極
６２  第２の電極
６４  第１の電気絶縁薄膜
６６  第２の電気絶縁薄膜
６８  シールド電極
７０  第３の電気絶縁薄膜
７２  同軸ケーブル
７４  芯線導体
７６  遮蔽導体
７８  電荷増幅器
８０  ローパスフィルター
８２  ＡＤＣ
８４  マイクロコントローラ
８６  メモリモジュール
８８  通信モジュール
９０  継電器
９２  ＢＡＳアクチュエータ
９４  ナースコールボタン
９６  居住者
【図１】
2018505974.tif 000003
【図２】
2018505974.tif 000004
【図３】
2018505974.tif 000005
【図４】
2018505974.tif 000006
【図５】
2018505974.tif 000007
【国際調査報告】
2018505974.tif 000008
2018505974.tif 000009